(57)【特許請求の範囲】
【請求項１】
上蓋部と、開口部を備える収容部とを有し、前記開口部より収容物を収容する箱型収容体であって、
収容部が、底面と、該底面に対して起立して設けられた矩形断面を有する内空状の複数の側部とを備え、上蓋部で収容部を覆う箱型収容体において、
前記側部は、前記箱型収容体の内側の側面である内側面と、前記箱型収容体の外側の側面である外側面とが、側部上面を介して連設するように構成され、前記側部上面と前記内側面を介する線を上部稜線とし、
前記収容部の前記上部稜線に上部折込部を設け、前記上部折込部が前記上部稜線を窪ませて形成されるとともに、前記内側面の前記上部折込部周辺に隆起部が形成されることを特徴とする箱型収容体。
【請求項２】
前記上部折込部は、上部折曲線によって区画され、前記上部折曲線が前記側部上面及び前記内側面にわたって形成された請求項1記載の箱型収容体。
【請求項３】
前記上部折込部が前記上部稜線に沿って等間隔で複数形成されることを特徴とする、請求項１に記載の箱型収容体。
【請求項４】
前記上部折込部内に折り込みを容易にする折込補助線を設けることを特徴とする、請求項１に記載の箱型収容体。
【請求項５】
前記側部の外側面と前記底面とが下部稜線を介して連続して形成され、前記下部稜線に、下部折曲線によって区画された下部折込部を備えた箱型収容体であって、前記下部折込部が前記下部稜線を窪ませて形成されることを特徴とする、請求項１に記載の箱型収容体。
【請求項６】
前記下部折込部は、前記下部稜線に沿って等間隔で複数形成され、又前記下部折込部内に折り込みを容易にする折込補助線を設けたことを特徴とする、請求項５に記載の箱型収容体。
【発明の詳細な説明】
【技術分野】
【０００１】
上蓋部と、開口部を備える収容部とを有し、開口部より収容物を収容する箱型収容体であって、収容部が、底面と、その底面に対して起立して設けられた矩形断面を有する内空状の複数の側部とを備え、上蓋部で収容部を覆う箱型収容体に関する。
【背景技術】
【０００２】
図８（ａ）（ｂ）に示すように、従来の箱型収容体（特に紙箱）４１は、上蓋部４２と、開口部５６を備える収容部４３とを有し、開口部５６より収容物６２を収容する。収容部４３は、底面５０と、その底面５０の縁部に沿って起立して設けられた矩形断面を有する内空状の側部４５、４６とを備え、側部４５の上面５１と内側面５５との上部稜線４８及び、側面４６の上面６１と内側面５５との上部稜線５８が設けられている。
【発明の開示】
【発明が解決しようとする課題】
【０００３】
しかしこのような従来の紙箱では、収容物６２と内側面５５との間に隙間（縦方向：ｂ、横方向：ａ）が生じ、紙箱内で収容物６２がガタつき、収容物６２の搬送の際に収納物が損傷したり、或いは搬送時にガタガタ音が出るという問題があった。特に、収容物６２が損傷に弱いデリケートな品物の場合、がたつきは致命的であるという問題があった。
又、逆に収容物６２と内側面５５との間に隙間（縦方向：ｂ、横方向：ａ）が無い場合、即ち収容物が大きい場合には、収容物が取り出しにくいという問題が有った。
そこでこの発明は、収容物がガタつかないしかも収容物を取り出しやすい箱型収容体を提供する。
【課題を解決するための手段】
【０００４】
請求項１乃至４に記載の発明の内、請求項１記載の発明は、上蓋部と、開口部を備える収容部とを有し、前記開口部より収容物を収容する箱型収容体であって、収容部が、底面と、該底面に対して起立して設けられた矩形断面を有する内空状の複数の側部とを備え、上蓋部で収容部を覆う箱型収容体において、前記側部は、前記箱型収容体の内側の側面である内側面と、前記箱型収容体の外側の側面である外側面とが、側部上面を介して連設するように構成され、前記側部上面と前記内側面を介する線を上部稜線とし、収容部の前記上部稜線に上部折込部を設け、前記上部折込部が前記上部稜線を窪ませて形成されるとともに、前記内側面の前記上部折込部周辺に隆起部が形成したものを提供する。
なお、上蓋部は、上蓋部が罫線を介して収容部３の上面を覆うように形成されるものでも良いし、又この上蓋部が、罫線部分を除く三方に側板を有するものでも良い。更に、天板と上蓋側板で構成される上蓋部であって、身蓋タイプのものでも良い。
【０００５】
請求項２に記載の発明は、請求項１に記載の箱型収容体において、前記上部折込部は、上部折曲線によって区画され、前記上部折曲線が前記側部上面及び前記内側面にわたって形成されたものである。
【０００６】
請求項３に記載の発明は、請求項１に記載の箱型収容体において、前記上部折込部が前記上部稜線に沿って等間隔で複数形成されたものである。
【０００７】
請求項４に記載の発明は、請求項１に記載の箱型収容体において、前記上部折込部内に折り込みを容易にする折込補助線を設けたものである。
【０００８】
請求項５に記載の発明は、請求項１に記載の箱型収容体に下部折込部を付加するものであり、前記側部の外側面と前記底面とが下部稜線を介して連続して形成され、前記下部稜線に、下部折曲線によって区画された下部折込部を備えた箱型収容体であって、前記下部折込部が前記下部稜線を窪ませて形成したものを提供する。
【０００９】
請求項６に記載の発明は、請求項５に記載の箱型収容体において、前記下部折込部は、前記下部稜線に沿って等間隔で複数形成され、又前記下部折込部内に折り込みを容易にする折込補助線を設けたものである。
【発明の効果】
【００１０】
請求項１に記載の発明によれば、上蓋部と、開口部を備える収容部とを有し、開口部より収容物を収容する箱型収容体であって、収容部が、底面と、その底面に対して起立して設けられた矩形断面を有する内空状の複数の側部とを備え、上蓋部で収容部を覆う箱型収容体において、前記側部は、前記箱型収容体の内側の側面である内側面と、前記箱型収容体の外側の側面である外側面とが、側部上面を介して連設するように構成され、前記側部上面と前記内側面を介する線を上部稜線とし、収容部の前記上部稜線に上部折込部を設け、前記上部折込部が前記上部稜線を窪ませて形成されるとともに、前記内側面の前記上部折込部周辺に隆起部が形成したので、内側面の上部折込部の周辺が、窪んだ上部折込部の反作用により盛り上がり隆起部を形成し、隆起部が収容物に押接してこれを支持することができるので、収容物がガタつかない箱型収容体を提供することができる。
更に、上部折込部が窪みを形成することで収容物の上端に爪を引っ掛けて取り出すことも可能となり、取り出しが容易である。
また、上部折込部が上部稜線を窪ませて形成されることで、箱型収容体の強度を高めることができ、箱型収容体を段積みしたときに上部稜線を上に重ねた箱型収容体の荷重によって押しつぶして変形させることがない。更に、上部稜線に様々なデザインの上部折込部を設けることで、箱型収容体のデザイン性を向上させることができる。
【００１１】
請求項２に記載の発明によれば、上部折込部を上部折曲線で区画でき、製作が容易である。
【００１２】
請求項３に記載の発明によれば、上部折込部が上部稜線に沿って等間隔で複数形成されるので、収容物を押接し支持するのがより確実になり、又内容物が多数ある場合に、少なくとも内側面に接する各収容物ごとに、押接し支持するのが可能となる。
【００１３】
請求項４に記載の発明によれば、上部折込部内に折り込みを容易にする折込補助線を設けるので、上部折込部を容易に折り込むことができる。
【００１４】
請求項５に記載の発明によれば、請求項１に記載の箱型収容体に下部折込部を付加するものであり、側部の外側面と底面とが下部稜線を介して連続して形成され、下部稜線に、下部折曲線によって区画された下部折込部を備えた箱型収容体であって、下部折込部が下部稜線を窪ませて形成されるので、下部稜線に手をかけるとき、下部折込部に手の指や手のひらがかかり、箱形収容体を十分に把持することができる。また、下部折込部が下部稜線を窪ませて形成されることで、箱型収容体の強度を高めることができ、箱型収容体の下部稜線を内容物の荷重などによって押しつぶして変形させることなく段積みすることができる。さらに、下部稜線に様々なデザインの下部折込部を設けることで、箱型収容体のデザイン性を向上させることができる。
【００１５】
請求項６に記載の発明によれば、下部折込部は、下部稜線に沿って等間隔で複数形成され、又下部折込部内に折り込みを容易にする折込補助線を設けたもので、下部折込部が下部稜線に沿って等間隔で複数形成されるので、手の指や手のひらがかかる部分が十分に確保でき、下部折込部内に折込補助線を設けたので、折り込みを容易である。
【発明を実施するための最良の形態】
【００１６】
図１は、本発明の箱型収容体の一例としての紙箱１の斜視図である。
紙箱１は、上蓋部２及び収容部３から構成され、上蓋部２が罫線３２Ａを介して収容部３の上面を覆うように形成している。
なお、上蓋部２に代えて、図７のように天板２Ａと上蓋側板２Ｂとで上蓋部２を構成する身蓋タイプのものでも良い。この場合、前記上蓋部２で前記収容部３を覆うようにして組み合わせれば良い。
又、上蓋部は、上蓋部が罫線を介して収容部３の上面を覆うように形成される場合に、上蓋部が、罫線部分を除く三方に側板を有するものでも良い。
【００１７】
収容部３は、外側面５Ａ、５Ｂ、底板１０、側部上面１１Ａ、１１Ｂ、内側面１５Ａ、１５Ｂ、折返部１７Ａ、１７Ｂ、上部稜線８Ａ、８Ｂ、及び下部稜線１４Ａ、１４Ｂなどから構成される。
底面１０は、収容部３を形成したときの底部にある長方形の面を示し、外側面５Ａ、５Ｂは、底面１０の４辺に下部稜線１４Ａ、１４Ｂを介してそれぞれ底面１０に対して垂直に上方に連結されている。
内側面１５Ａ、１５Ｂは、収容部３を形成したときに、外側面５Ａ、５Ｂを補強するためのものであり、側部上面１１Ａ、１１Ｂは、収容部３を形成したときに、外側面５Ａ、５Ｂ、及び内側面１５Ａ、１５Ｂとの間に形成される矩形の断面形状の内空の上面である。
折返部１７Ａ、１７Ｂは、外側面５Ａ、５Ｂと内側面１５Ａ、１５Ｂとを平行に保持するための面であり、底面１０に貼着されている。なお、外側面５Ａ、側部上面１１Ａ、内側面１５Ａによって側部Ｓ１を構成し、外側面５Ｂ、側部上面１１Ｂ、内側面１５Ｂによって側部Ｓ２を構成する。
【００１８】
また、上部折込部６は、菱形を形成する４本の上部折曲線７及び折込補助線９から構成される。
上部折込部６は、収容物２２をガタつかなくさせるための窪みであり、上部折曲線７は、上部折込部６を区画するための線である。折込補助線９は、上蓋部２を形成するときに上部折込部６が容易に窪みを形成するための補助線を示し、上部折曲線７にその菱形の鈍角同士を２等分するように形成される。
【００１９】
また、下部折込部１２は、菱形を形成する４本の下部折曲線１３及び折込補助線９から構成される。
下部折込部１２は、収容部３を手で容易に把持するための窪みであり、下部折曲線１３は、下部折込部１２を区画するための線である。折込補助線９は、収容部３を形成するときに下部折込部１２が容易に窪みを形成するための補助線を示し、下部折曲線１３にその菱形の鈍角同士を２等分するように形成される。
【００２０】
紙箱１の展開図を図２に示す。
上蓋部２は、長方形に形成された天板上面４Ａ、天板下面４Ｂ、及びフラップ１８などから構成される。
天板上面４Ａの１つの長辺は、罫線３３を介して天板下面４Ｂの１つの長辺に連設し、フラップ１８は、天板上面４Ａの両短辺に罫線を介して連設されている。
【００２１】
収容部３は、長方形に形成された底面１０、外側面５Ａ、５Ｂ、側部上面１１Ａ、１１Ｂ、内側面１５Ａ、１５Ｂ、折返部１７Ａ、１７Ｂ、及びフラップ１９、２０などから構成される。
【００２２】
外側面５Ａは、底面１０の１組の長辺に連続して設けられ、一方外側面５Ｂは、底面１０の１組の短辺に連続して設けられる。なお、外側面５Ａは、下部稜線１４Ａを介して底面１０と連続して設けられ、外側面５Ｂは、下部稜線１４Ｂを介して底面１０と連続して設けられている。
底面１０の天板上面４Ａとは反対側に隣接した外側面５Ａには、罫線３２Ａを介して側部上面１１Ａを連続して設け、一方外側面５Ｂには、罫線３２Ｂを介して側部上面１１Ｂを連続して設ける。
また、底面１０の天板上面４Ａとは反対側に隣接した側部上面１１Ａには、上部稜線８Ａを介して内側面１５Ａを連続して設け、一方側部上面１１Ｂには、上部稜線８Ｂを介して内側面１５Ｂを連続して設ける。
更に、底面１０の天板上面４Ａとは反対側に隣接した内側面１５Ａには、罫線３１Ａを介して折返部１７Ａが連続して設けられ、一方内側面１５Ｂには、罫線３１Ｂを介して折返部１７Ｂが連続して設けられている。
他方、底面１０の上辺に隣接した外側面５Ａには、天板上面４Ａのもう一方の長辺を罫線３２Ａを介して連続して設けられ、天板下面４Ｂのもう一方の長辺を罫線３４を介して側部上面１１Ａと連続して設ける。更に、天板下面４Ｂに隣接した側部上面１１Ａには、上部稜線８Ａを介して内側面１５Ａを連続して設ける。加えて、内側面１５Ａには、罫線３１Ａを介して折返部１７Ａが連続して設けられている。
なお、外側面５Ａの両短辺には、フラップ１９を設けるとともに、内側面１５Ａの両短辺には、フラップ２０を設ける。
【００２３】
なお、上部稜線８Ａ、８Ｂ上には、等間隔で菱形の上部折込部６を設ける。この例では、上部稜線８Ａ上に上部折込部６を６か所、上部稜線８Ｂ上に上部折込部６を３か所ずつ設ける。また、上部折込部６は菱形の上部折曲線７を形成し、菱形の１対の鈍角を２等分するように折込補助線９を形成する。
同様に、下部稜線１４Ａ、１４Ｂ上には、等間隔で菱形の下部折込部１２を設ける。この例では、下部稜線１４Ａ上に下部折込部１２を６か所、下部稜線１４Ｂ上に下部折込部１２を３か所ずつ設ける。また、下部折込部１２は菱形の下部折曲線１３を形成し、菱形の１対の鈍角を２等分するように折込補助線９を形成する。
【００２４】
図１、図２の上部折曲線７、折込補助線９、上部稜線８Ａ、８Ｂ、下部折曲線１３、下部稜線１４Ａ、１４Ｂ、罫線３２Ａ、３２Ｂ、３３、３４は、型押し機によって罫線を形成し、罫線３１Ａ、３１Ｂはミシン目とするが、これに限定されるものではない。前記罫線は、ミシン目でもハーフカットでも、リード罫でもよく、要するに、上部折曲線及び下部折曲線を形成できれば良い。
そして、上部稜線８Ａ、８Ｂ、下部稜線１４Ａ、１４Ｂ、罫線３２Ａ、３２Ｂ、３３、３４を適宜折り曲げて紙箱１を形成する。
【００２５】
また、収容物２２は、単体でも、複数の集合体でもよい。複数の集合体とは、収容部３より小さい複数の集合体であり、例えば同一形状のものを相当数箱詰めする場合に適用される。又収容物２２は、単一のトレイであってもよい。この場合、トレイに対して図４（ａ）に図示された隆起部２１が押接することになる。そして収容物２２はトレイの中に収容される。
【００２６】
図３（ａ）〜（ｃ）に示すようにして上部折込部６が形成される。すなわち側部上面１１Ｂに対して内側面１５Ｂがフラットな状態（図３（ａ））から内側面１５Ｂを上部稜線８Ｂにて折り曲げ始めると（図３（ｂ））、上部稜線８Ｂの形成されている部分は上部稜線８Ｂに従って山折りとなり、上部稜線８Ｂの形成されていない部分、即ち上部折曲線７の部分は、折曲線に沿って山折りとなって稜線が形成される。そして、折り曲げが進行すると（図３（ｃ））、折込補助線９が谷折りとなって中央部分が窪んだ上部折込部６が形成される。
上部折込部６は、収容部３の他の部分においても同様に形成される。また、下部折込部１２も同様に形成される。
【００２７】
図４（ａ）は、図１の紙箱１のＡ−Ａ線矢視断面図、図４（ｂ）は、Ｂ−Ｂ線矢視断面図である。
図４（ａ）では、上部折込部６を上部稜線８Ｂ上に設けることで、内側面１５Ｂの上部折込部６の周辺が、窪んだ上部折込部６の反作用により盛り上がり、隆起部２１を形成している様子が示されている。なお、図４（ｂ）では、図４（ａ）のように隆起部２１は若干形成されるか或いは形成されない。
【００２８】
図５（ａ）は、紙箱１の上蓋部２を開いた状態で開口部１６内に収容物２２を区画する中仕切り２３を底面１０に対して垂直に起立させ、その間に収容物２２を入れた状態の平面図、及び図５（ｂ）は、図５（ａ）のＣ矢視断面図である。
内側面１５Ａの上部折込部６周辺に隆起部２１が形成されるので、内側面１５Ａの上部折込部６の周辺が、窪んだ上部折込部６の反作用により盛り上がり、隆起部２１を形成し、隆起部２１が収容物２２に押接してこれを支持することができる。
同様に、内側面１５Ｂの上部折込部６周辺に隆起部２１が形成されるので、内側面１５Ｂの上部折込部６の周辺が、窪んだ上部折込部６の反作用により盛り上がり、隆起部２１を形成し、隆起部２１が収容物２２に押接してこれを支持することができる。
従って、内側面１５Ａ、１５Ｂに隆起部２１があることで収容物２２の側部に当接し、収容物２２が開口部１６内でガタつくのを防止することができる。
なお、隆起部２１は、上部折込部６の折込補助線９の端部付近に特に顕著に形成されるので、収容物２２の側部を部分的にしかも安定的に押接することが出来き、ガタツキも無い。このため収容物２２を入れやすく、取り出しやすい。
【００２９】
図５（ａ）の中仕切り２３は、開口部１６内の収容物２２を区画するだけでなく、収容物２２のガタツキを更に防止する意味で、中仕切りに内側面１５Ａ、１５Ｂの上部折込部６と同様の中仕切り折込部を設けても良い。この場合中仕切りの上面の両端の稜線に折込部を設ければ、収容物は内側面１５Ａと内側面１５Ｂで囲まれている平面視右端と左端の収容物２２は内側面１５Ａと内側面１５Ｂのそれぞれの上部折込部６と中仕切り２３の折込部で、四面が収容物２２に押接し支持される。同様に中の２つの収容物２２は、対向する内側面１５Ａと平面視左右の中仕切りに設けられ対向した折込部で、四面が収容物２２に押接し支持される。
なお、中仕切り２３は、図５（ａ）に限定されず、細かく分断した格子状の中仕切りでも良い。この場合折込部も収容物の四面で押接し支持されるように設けても良い。
又、図５（ａ）は、３枚の中仕切りで区画される４区画に収容物を収容したが、この四区画にトレイを収納し、更にトレイの中に収容物を入れても良く、トレイに更に折込部を設けて、内容物を押接して支持しても良い。又図５（ａ）は中仕切りを三枚使用しているが。これに限定されない。又平面視縦の中仕切りだけでなく、横の中仕切りでも良い。当然格子状でも良い。
【００３０】
図５（ｃ）は、中仕切り２３に関する別の実施例であり、中仕切りの上端部稜線に上部折込部６を水平に設けてある。この場合にも、隆起部２１が、上部折込部６の上部折曲線７の下方に形成される。これにより、収容物は内側面１５Ａと内側面１５Ｂで囲まれている平面視右端と左端の収容物２２は内側面１５Ａと内側面１５Ｂのそれぞれの上部折込部６と中仕切り２３の上部折込部６で、四面が収容物２２に押接し支持される。
同様に中の２つの収容物２２は、対向する内側面１５Ａと平面視左右の中仕切りに設けられ対向した上部折込部６で、四面が収容物２２に押接し支持される。
【００３１】
下部折込部１２を下部稜線１４Ａ、１４Ｂ上に設けることで十分に把持できる紙箱１を提供することができる。
また、上部折込部６が上部稜線８Ａ、８Ｂを窪ませて形成されることで、紙箱１の強度を大きくすることができ、紙箱１を段積みしたときに下部稜線１４Ａ、１４Ｂを上に重ねた紙箱１の荷重によって押しつぶして変形させることがなく、これらの上部稜線８Ａ、８Ｂ及び、下部稜線１４Ａ、１４Ｂに様々なデザインの上部折込部６及び下部折込部１２それぞれを設けることで、紙箱１のデザイン性を向上させることができる。
加えて、収容物２２を取り出すときに隆起部２１を押すことにより、隆起部２１がたわんで収容物２２を取り出しやすくなる。
上部折込部６が窪みを形成することで収容物２２の上端に爪を引っ掛けて取り出すことも可能となる。即ち上部折込部が収容物を押接するが、隣接する折込部間は上部稜線となっており、この部分では逆に収容物との間に隙間が生じるので、爪も入りやすくなっているのである。
【００３２】
図６は、上部折込部６や下部折込部１２について別の実施例を示すものである。
前記上部折込部６や下部折込部１２は、菱形状のものであったが、上蓋部２の上部折込部６及び収容部３の下部折込部１２は、六角形の折込部７１を形成するもので、稜線７２、折曲線７３、及び複数の折込補助線７４を構成するもの［図６（ａ）］や、楕円の折込部８１を形成し、稜線８２、折曲線８３、及び折込補助線８４を構成するもの［図６（ｂ）］などであってもよい。
従って、様々なデザインをもつ折込部を設けることで、デザイン性に富んだ上蓋部２及び収容体３を構成することができる。
【００３３】
以上詳述したように、この発明の箱型収容体（一例として紙箱）１は、上蓋部２と、開口部１６を備える収容部３とを有し、開口部１６より収容物２２を収容し、この収容部３が、底面１０と、その底面１０に対して起立して設けられた矩形断面を有する内空状の複数の外側面５Ａ、５Ｂとを備え、その側部上面１１Ａ、１１Ｂと内側面１５Ａ、１５Ｂとの間に形成された上部稜線８Ａ、８Ｂを設けた開口部１６を有し、上部稜線８Ａ、８Ｂに上部折曲線７によって区画された上部折込部６を設け、上部折込部６が上部稜線８Ａ、８Ｂを窪ませて形成されるとともに、内側面１５Ａ、１５Ｂの上部折込部６周辺に隆起部２１が形成される。
又上部折込部６は、上部折曲線７によって区画され、上部折曲線７が側部上面１１Ａ、１１Ｂ及び内側面１５Ａ、１５Ｂにわたって形成される。
上部折込部６が上部稜線８Ａ、８Ｂに沿って等間隔で複数形成され、更に上部折込部６内に折り込みを容易にする折込補助線９を設ける。
更に付加して、外側面５Ａ、５Ｂの外側部と底面１０とが下部稜線１４Ａ、１４Ｂを介して連続して形成され、下部稜線１４Ａ、１４Ｂに、下部折曲線１３によって区画された下部折込部１２を備えた紙箱１であって、下部折込部１２が下部稜線１４Ａ、１４Ｂを窪ませて形成される。
又、下部折込部１２が下部稜線１４Ａ、１４Ｂに沿って等間隔で複数形成される。そして、下部折込部１２内に折り込みを容易にする折込補助線９を設ける。
【００３４】
なお、上述の例では、箱型収容体の一例としてお菓子などの紙箱について説明したが、この発明はこれに限定されるものではなく、紙箱を構成する紙は、樹脂等をコーティングしたり、フィルム等を貼り合わせたりする多層フィルム等に適用してもよい。
又紙箱に限定されず、例えばプラスチックシート（単層・多層）やそれにホログラム等の各種表面加工を施したものでも良い。また紙箱とプラスチックの複合容器にも応用可能である。
更に、上蓋部と収容部が別体に構成されている箱型収容体に適用してもよく、収容物を形成する構造も、中仕切りを用いた形状に限定せず、隆起部を押すことによってたわんで収容物を取り出せる構造を形成していればよい。
更に、容器の形状、及び折込部の形状は、矩形に限らず、楕円形や多角形に構成してもよい。
【図面の簡単な説明】
【００３５】
【図１】本発明の紙箱収容体としての紙箱の斜視図である。
【図２】図１の紙箱の展開図である。
【図３】図１の側部上面と内側面との境界線である上部稜線の折曲状態を示す説明図であり、（ａ）は、折り込む前の説明図、（ｂ）は、折曲途中の説明図、（ｃ）は、紙箱に折り曲げた後の説明図である。
【図４】図１の紙箱の（ａ）は、Ａ−Ａ線矢視断面図、（ｂ）は、Ｂ−Ｂ線矢視断面図である。
【図５】（ａ）は、図１の紙箱の収容部に収容物を入れた場合の平面図であり、（ｂ）は、（ａ）のＣ−Ｃ線矢視断面図である。（ｃ）は（ａ）の中仕切り２３の斜視図である。
【図６】図１の折込部を構成する別の実施例を示した状態図であり、（ａ）は、折込部が六角形の状態図、（ｂ）は、楕円形の状態図である。
【図７】図１の紙箱の上蓋部について身蓋タイプの実施例を説明した斜視図である。
【図８】従来の紙箱の（ａ）は、平面図、（ｂ）は、Ｄ矢視断面図である。
【符号の説明】
【００３６】
１    紙箱（箱型収容体）
２    上蓋部
３    収容部
４Ａ    天板上面
４Ｂ    天板下面
５Ａ、５Ｂ    外側面
６    上部折込部
７    上部折曲線
８Ａ、８Ｂ    上部稜線
９    折込補助線
１０    底面
１１Ａ、１１Ｂ    側部上面
１２    下部折込部
１３    下部折曲線
１４Ａ、１４Ｂ    下部稜線
１５Ａ、１５Ｂ    内側面
１６    開口部
１７Ａ、１７Ｂ    折返部
１８、１９、２０    フラップ
２１    隆起部
２２    収容物
２３    中仕切り
３１Ａ、３１Ｂ、３２Ａ、３２Ｂ、３３、３４    罫線
Ｓ１、Ｓ２    側部
【図１】
0004735094.tif 000002
【図２】
0004735094.tif 000003
【図３】
0004735094.tif 000004
【図４】
0004735094.tif 000005
【図５】
0004735094.tif 000006
【図６】
0004735094.tif 000007
【図７】
0004735094.tif 000008
【図８】
0004735094.tif 000009